(57)【特許請求の範囲】
【請求項１】
天井スラブなどに上端が固定される吊りボルトの下端側に取り付けられるターンバックルの脚部にボルト及びナットによって吊りバンドの両端部が固定される型式の配管用吊りバンドにおいて、ターンバックルの両脚部と吊りバンドの一方の端部とがナットにより結合されており、該ナットが雌ネジの前段に雌ネジの内径よりも大である内径であって雌ネジの直前位置でテーパーが設けられている構成の案内孔を有し、このナットをターンバックルの両脚部及び吊りバンドの一方の端部に固いカシメ止め・溶接・接着により回転しない状態に且つ前記ナットの案内孔の入口が吊りバンドの他方が固定する側のターンバックルの脚部の表面に露出する状態に固定すると共に、吊りバンドの他方の端部に用意されるボルトが、線材で形成されるクリップで挟まれ脱落を防止した状態に、且つ、自由に回転できる状態に取り付けられていることを特徴とする配管用吊りバンド。
【発明の詳細な説明】
【０００１】
【発明の属する技術分野】
本発明は、ガス・水道等の配管を天井等から吊り下げるのに用いられる配管用吊りバンドに関する。
【０００２】
【従来の技術】
配管用吊りバンドとしては図５に示す構成が広く利用されている。このタイプのものは原形が実公昭２９−１２４８０号公報に開示されている。このタイプの配管用吊りバンドは、吊りボルト１の上端を天井スラブに埋め込んだインサートの雌ネジに固定し、この吊りボルト１にナット２を介してターンバックル３を高さ調節自在に取り付け、更にこのターンバックル３の両脚部３Ａ・３Ｂにヒンジ機構４で連結されている吊りバンド５Ａ・５Ｂのそれぞれの端部をボルト６及びナット７で締め付けることにより配管８を固定する構成である。この構成を変形した様々なタイプのものが提案ないし実施されている。
【０００３】
実際の作業では、図示の配管用吊りバンドを天井スラブに埋め込んだインサートに固定する作業を前もって行っておき、次いで、実際に配管８を固定する作業を行う。配管８を固定する際には、ナット７を一度取り去って、吊りバンド５Ｂの側を解放し、配管８を内側に通して後、この吊りバンド５Ｂを原位置に戻してナット７による締め付けを行う。
【０００４】
【発明が解決しようとする課題】
図５に示す配管用吊りバンドにおいて、ターンバックル３の脚部３Ａ・３Ｂ及び吊りバンド５Ａ・５Ｂの端部に用意されているボルト孔が所謂バカ穴であるために、配管８を取り付ける段階でナット７を取り去って、吊りバンド５Ｂを仮想線で示す状態に解放させると、ボルト６が中間金具３から脱落してしまうことがしばしば生じている。このため、吊りバンド５Ｂを解放するために取り外したナット７を再びボルト６に取り付ける仮止めが必要であった。
【０００５】
この点、作業性を改善した技術として次の構成が知られている。即ち、▲１▼実開昭５９−１７４４７５  号公報に示される技術は、ターンバックルと吊りバンドとを締め付けバンドでリベット接合している。▲２▼実公昭５６−３５５８８号公報に示される技術は、ターンバックルと吊りバンドとを一体成形すると共に、吊りバンドの根本に穿設した孔に、吊りバンドの先端に設けた突起を掛け止めする構成である。▲３▼実開平４−１０７５９２号公報に示される技術は、ターンバックルと下端解放の吊りバンドを一体成形すると共に、吊りバンドの下端解放部の一方にボルトナットを回動自在に固定しておき、吊りバンドの下端解放部の他方に設けた切欠部に挿入して締め付ける構成である。▲４▼実開昭６３−４５２８１号公報に示される技術は、ターンバックルを吊りバンド兼用とすると共に、吊りバンドの先端に回動自在に固定したナットでターンバックルに螺合される全ネジ支持棒にネジ止めする構成である。
【０００６】
然しながら、上記の▲１▼〜▲３▼に示す技術では、支持された配管にウオーターハンマー現象が生じると配管が脱落する虞があるし、上記▲４▼の技術では作業性の改善にはならない。
【０００７】
本発明者は、上記した作業性の悪さを解消し、片手で配管の支持（取り付け）作業を行うことができる勝手のよい、しかも強固に固定することができる配管用吊りバンドを特願平７−２５６８２６〜７号で明らかにしたが、その後の研究により、更なる改善の余地を発見し本発明に至った。
【０００８】
上記から明らかなように、本発明は使い勝手の良さが更に改善された配管用吊りバンドを明らかにすることを目的とするものである。
【０００９】
【課題を解決するための手段】
本発明に係る配管用吊りバンドは、天井スラブなどに上端が固定される吊りボルトの下端側に取り付けられるターンバックルの脚部にボルト及びナットによって吊りバンドの両端部が固定される型式の配管用吊りバンドにおいて、ターンバックルの両脚部と吊りバンドの一方の端部とがナットにより結合されており、該ナットが雌ネジの前段に雌ネジの内径よりも大である内径であって雌ネジの直前位置でテーパーが設けられている構成の案内孔を有し、このナットをターンバックルの両脚部及び吊りバンドの一方の端部に固いカシメ止め・溶接・接着により回転しない状態に且つ前記ナットの案内孔の入口が吊りバンドの他方が固定する側のターンバックルの脚部の表面に露出する状態に固定すると共に、吊りバンドの他方の端部に用意されるボルトが、線材で形成されるクリップで挟まれ脱落を防止した状態に、且つ、自由に回転できる状態に取り付けられていることを特徴とする。
【００１０】
【発明の実施の態様】
本発明に係る配管用吊りバンドを、図４及び図６に示す実施例、並びに図１〜図３に示す参考例に基き説明する。
【００１１】
図１の参考例において、吊りボルト１は、その上端側が天井スラブに埋め込んだインサートの雌ネジに固定されるものであり、この吊りボルト１にナット２を介してターンバックル３を高さ調節自在に取り付け、更に、このターンバックル３の両脚部３Ａ・３Ｂに、ヒンジ機構４（蝶番式、組式、提灯式の何れでもよい）で連結されている吊りバンド５Ａ・５Ｂのそれぞれの端部をボルト６及びナット７により取り付けることにより配管８を固定する構成である。
【００１２】
図５に示した従来の吊りバンドにおいては、普通のボルト及びナットによりターンバックル３の両脚部３Ａ・３Ｂと吊りバンド５Ａ・５Ｂの上端との締め付けが行われる構成であり、このことから上記した使い勝手の悪さが生じていた。
【００１３】
そこで、図１に示す如く、一方の吊りバンド５Ａの上端と、ターンバックル３の両脚部３Ａ・３Ｂとをナット７で連結すると共に、このナット７を固いカシメ止め・熔接・接着等の手法でボルトの回転に従って伴回りしないように固定し、他方の吊りバンド５Ｂの端部には、ボルト６を細い鉄線等の線材で形成されるクリップ９で挟み付けて、脱落を防止すると共に回動自在に固定する。従って、図１に示すように、ボルト６をナット７で固定しない状態にしてもボルト６が脱落することがない。
【００１４】
図１に示す参考例では、一方の吊りバンド５Ａの上端と、ターンバックル３の一方の脚部３Ａとが連結されており、ナット７は固いカシメ止め・溶接・接着等で回動不能に固定されており、従って、ボルト６を回転させてもナット７は伴回りしない構成となっている。故に、締め付けに際してボルト６とナット７の両者を手で押さえる必要がないので、片手による作業が可能である。
【００１５】
尚、本発明においては、図６に示す如く、ナット７による固いカシメ止め・溶接・接着の回転不能固定の相手は、吊りバンド５Ａ、両脚部３Ａ・３Ｂの三者である。
【００１６】
図２に示す参考例は、ターンバックル３と吊りバンド５Ａとを単一の板材で形成した例を示すものである。他の部分の構成は上記した参考例１と同一である。
【００１７】
図３に示すように、他の参考例では、吊りバンド５Ａの長さを、配管８の円周の二分の一より大で配管が挿入可能な範囲とされる。このように構成することにより、ボルト６とナット７とを解放した状態でも、配管８は吊りバンド５Ａに支持されており、従って手で押さえていなくとも脱落することがない。
【００１８】
図５に示す従来の配管用吊りバンドのナット７は、内側空間の全長にわたり雌ネジが設けられているため、ナット７の雌ネジに対して垂直方向からボルト６を差し込んで回転させないと、斜め状態の差し込みではネジ山が噛み合わず締め付けることができない。然しながら、ボルト６が吊りバンド５Ｂの先端に固定されていることから、吊りバンド５Ｂの側を回動して行くと、どうしても斜め方向からの差し込みとなり片手操作による垂直方向からの適正な差し込みが困難となる場合が生じる。
【００１９】
ナット７としては、雌ネジが内部空間の全長にわたって配設されている従来型のナットではなく、雌ネジの前段に案内孔が設けられているものが利用される。案内孔は、雌ネジの内径よりも大である内径の案内孔とし、雌ネジの直前位置でテーパーが設けられている構成である。テーパーに移行する部分は段部のないカーブであることが好ましい。このように構成することで、従来型のナットでは、雌ネジに対して垂直方向からの差し込みを行わないとボルトを挿入することが困難であるが、斜め方向からボルト６を差し込んでも、案内孔の働きでボルト６の先端を雌ネジに簡単に係合させることができ、ボルト６を片手操作でナット７に係合させる作業を非常に容易化するものであり、使い勝手が格段に改善される。
【００２０】
図４に従ってクリップ９を説明する。
【００２１】
クリップ９は、例えば弾性を有する細い（例えば直径０．７ｍｍ程度）鉄線で形成されるものであり、中央部を屈曲させてリング９Ａを形成した後に交差９Ｂさせ、更にその延長部を湾曲させてボルト６への係合部９Ｃを形成すると共に残部を交差９Ｄさせてから延長部９Ｅとする。リング９Ａと交差９Ｂとにより弾性が生じ、延長部９Ｅを挟み込み方向に押圧することで係合部９Ｃの直径を広げることができ、押圧していた延長部９Ｅを解放すれば、係合部９Ｃは弾力により復元し、ボルト６を挟み込むことになる。従って、クリップ９を極めて簡単にボルト６に取り付けることができる。
【００２２】
また、交差９Ｂと交差９Ｄとで鉄線を撚った状態とすれば、ボルト６をナット７に取り付けた際にはワッシャと同様に働き、ボルト６のゆるみが、より確実に防止される機能がある。勿論、このように撚った構成に限定されない。
【００２３】
【発明の効果】
本発明に係る配管用吊りバンドによれば、配管を取り付ける際に、ボルトとナットとを解放しても、それぞれはターンバックルの脚部或いは吊りバンドの端部から脱落することがない。従って、従来の吊りバンドによる作業で必要であったボルトやナットの押えや仮止め作業が不要であり、しかも片手によってボルトとナットの締め付けを行うに際しても、ナットには案内孔が設けられているので、ボルトをナットの雌ネジに対して容易に垂直な姿勢にすることができるので、非常に使い勝手がよく、著しい作業能率の向上が得られる利点がある。
【００２４】
更に、ボルトを回転可能な状態で吊りバンドの一方の端部に固定するクリップとして、弾性を有する細い鉄線等の線材で形成されるクリップを利用するので、クリップの端部を抓んでボルト係合部を開くだけでボルトのネジ部に簡単且つ確実に取り付けることができ、例えば、合成樹脂製又はゴム製のリングをボルトのネジ部に嵌め込む方式などと比較して、組立作業が極めて簡単なので生産コストの低減にメリットがある。また、合成樹脂製と異なり火災の際に有毒ガスなどを発生させることがない利点もある。
【図面の簡単な説明】
【図１】本発明の参考例を示す一部断面図
【図２】本発明の他の参考例を示す一部断面図
【図３】本発明の他の参考例を示す一部断面図
【図４】クリップの拡大平面図
【図５】従来品を示す正面図
【図６】本発明の実施例を示す要部断面図
【符号の説明】
１−吊りボルト
２−ナット
３−ターンバックル
３Ａ−脚部
３Ｂ−脚部
４−ヒンジ機構
５−吊りバンド（全体）
５Ａ−吊りバンド
５Ｂ−吊りバンド
５Ｃ−透孔
６−ボルト
７−ナット
８−配管
９−クリップ
９Ａ−リング
９Ｂ−交差
９Ｃ−ボルト係合部
９Ｄ−交差
９Ｅ−延長部
【図１】
0003749299.tif 000002
【図２】
0003749299.tif 000003
【図３】
0003749299.tif 000004
【図４】
0003749299.tif 000005
【図５】
0003749299.tif 000006
【図６】
0003749299.tif 000007